【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
三次元プリンター用のビルドプレートアセンブリーであって、
ピクセルの下の照明からライティングパネルの上面上面に選択的に光を発生及び／又は光を透過させるように構成された、個々にアドレス可能なピクセルを有する、ライティングパネルと、
上側表面、及び前記ライティングパネルの前記上面に貼り付けられた下側表面を有する、剛性の光学的に透明なガス不透過性平面スクリーン又はベースと、
上側及び下側表面を有する可撓性の光学的に透明なガス透過性シートであって、前記上側表面は、三次元物体を形成するためのビルド面を備え、前記シートの下側表面は、前記ベースと対向して位置し、前記ビルドプレートは、前記ビルド面へのガスの流れを許容するように構成される、シートと
を備え、
前記ライティングパネルが、グレースケールライティングパネルであるビルドプレートアセンブリー。
【請求項２】
前記ベースの上側表面及び／又は前記ガス透過性シートの下側表面が、前記ガス透過性シートへのガスの流れを増加させる表面トポロジーを有する請求項１に記載のビルドプレートアセンブリー。
【請求項３】
前記ガス透過性シートと前記ベースとの間の接着剤層と、その中にチャネルを画定するチャネル層とをさらに備える請求項２に記載のビルドプレートアセンブリー。
【請求項４】
前記チャネル層が、透過性ポリマー（例えばポリ（ジメチルシロキサン）（ＰＤＭＳ））等の透過性材料を含む請求項３に記載のビルドプレートアセンブリー。
【請求項５】
前記チャネル層が、前記接着剤に対向する底面上にチャネルを画定する請求項３又は４に記載のビルドプレートアセンブリー。
【請求項６】
前記チャネル層が、化学結合（例えば、酸素プラズマ処理、ＵＶオゾン処理及び／又は湿潤化学処理を含む酸化処理）により前記ベースに接着されている請求項３から５のいずれか１項に記載のビルドプレートアセンブリー。
【請求項７】
前記接着剤層が、ガス透過性接着剤を含む請求項３から６のいずれか１項に記載のビルドプレートアセンブリー。
【請求項８】
前記接着剤層が、ポリ（ジメチルシロキサン）（ＰＤＭＳ）フィルム（例えばシリコーン転写フィルム接着剤）を含む請求項３から７のいずれか１項に記載のビルドプレートアセンブリー。
【請求項９】
前記ベースが、上部及び底部を備え、前記上部は、前記表面トポロジーを提供するパターン化された剛性ポリマーを含み、前記上部は、前記底部に接着されている請求項２又は請求項２に従属する請求項３から８のいずれか１項に記載のビルドプレートアセンブリー。
【請求項１０】
前記上部が、第１の材料を含み、前記底部が、前記第１の材料とは異なる第２の材料を含む請求項９に記載のビルドプレートアセンブリー。
【請求項１１】
前記第２の材料が、サファイア、ガラス及び／又は石英を含む請求項１０に記載のビルドプレートアセンブリー。
【請求項１２】
前記チャネル層と前記ベースとの間に、前記ビルド面の弾性を増加させるように構成されたエラストマー層をさらに備える請求項３又は請求項３に従属する請求項４から１１のいずれか１項に記載のビルドプレートアセンブリー。
【請求項１３】
前記透過性シート及び／又はチャネル層が、酸素を感知するための蛍光酸素感知粒子を含むＰＤＭＳ複合材を含む請求項３から１２のいずれか１項に記載のビルドプレートアセンブリー。
【請求項１４】
前記透過性シート、エラストマー層及び／又はチャネル層が、前記ビルドプレートの一部を加熱するための電気伝導性粒子を含むＰＤＭＳ複合材を含む請求項３から１３のいずれか１項に記載のビルドプレートアセンブリー。
【請求項１５】
前記ライティングパネルが、ＬＣＤパネル、ＯＬＥＤパネル、又は紫外線ＬＥＤ光源アレイを含む請求項１から１４のいずれか１項に記載のビルドプレートアセンブリー。
【請求項１６】
前記ビルドプレート内に、前記ライティングパネルの前記個々にアドレス可能なピクセルに対応する光ガイドをさらに備える請求項１から１５のいずれか１項に記載のビルドプレートアセンブリー。
【請求項１７】
前記表面トポロジーが、１〜１０μｍの直径を有する陥凹部又は突出部を含む請求項２又は請求項２に従属する請求項３から１６のいずれか１項に記載のビルドプレートアセンブリー。
【請求項１８】
前記表面トポロジーが、２０％未満、１５％未満又は１０％未満の光散乱角を有する請求項２又は請求項２に従属する請求項３から１７のいずれか１項に記載のビルドプレートアセンブリー。
【請求項１９】
三次元物体を形成する方法であって、
キャリアと、ビルド面を有する光学的に透明な部材とを用意する工程であって、前記キャリア及び前記ビルド面は、その間をビルド領域として画定する、工程と、
前記ビルド領域を重合性液体で充填する工程と、
前記光学的に透明な部材を介して前記ビルド領域に光を継続的又は断続的に照射する工程であって、これによって前記重合性液体から固体ポリマーを形成する工程と、
前記キャリアを前記ビルド面から離れる方向に継続的又は断続的に移動させて（例えば、前記照射工程と順次又は同時に）、前記固体ポリマーから前記三次元物体を形成する工程とを含み、
前記光学的に透明な部材は、請求項１から１８のいずれか１項に記載のビルドプレートを含む、方法。
【請求項２０】
前記充填工程が、前記重合性液体による前記ビルド領域の再充填を確かにする又は速くするために、前記ビルド面を基準として前記キャリアを縦方向に往復運動させることをさらに含む請求項１９に記載の方法。
【請求項２１】
重合性液体から三次元物体を形成するための装置であって、
（ａ）支持部と、
（ｂ）前記支持部と動作可能に関連付けられたキャリアであって、その上に前記三次元物体が形成されるキャリアと、
（ｃ）ビルド面を有する光学的に透明な部材であって、前記ビルド面及び前記キャリアは、その間をビルド領域として画定する、光学的に透明な部材と、
（ｄ）前記ビルド面と動作可能に関連付けられ、固化又は重合のために前記ビルド領域内に液体ポリマーを供給するように構成された液体ポリマー供給部（例えばウェル）と、
（ｅ）前記光学的に透明な部材を介して前記ビルド領域を照射して、前記重合性液体から固体ポリマーを形成するように構成された放射線源と、
（ｆ）任意選択で、前記透明な部材又は前記キャリアのいずれかと動作可能に関連付けられた少なくとも１つの駆動部と、
（ｇ）前記キャリアを前記ビルド面から離れる方向に移動させて、前記固体ポリマーから前記三次元物体を形成するために、前記キャリア、及び／又は任意選択で前記少なくとも１つの駆動部、及び前記放射線源と動作可能に関連付けられた制御装置とを備え、
前記光学的に透明な部材は、請求項１から１８のいずれか１項に記載の光学的に透明なガス不透過性平面スクリーン又はベースを有するビルドプレートを備え、前記放射線源は、前記平面スクリーンを備える装置。 
【手続補正２】
【補正対象書類名】明細書
【補正対象項目名】０２３７
【補正方法】変更
【補正の内容】
【０２３７】
上記は本発明を例示するものであり、本発明を限定するものと解釈してはならない。本発明は以下の特許請求の範囲によって定義され、特許請求の範囲の同等物も本発明に含まれることになる。
出願当初の特許請求の範囲に記載された請求項は、以下の通りであった。
請求項１：
三次元プリンター用のビルドプレートアセンブリーであって、
ピクセルの下の照明からライティングパネルの上面上面に選択的に光を発生及び／又は光を透過させるように構成された、個々にアドレス可能なピクセルを有する、ライティングパネルと、
不均一表面トポロジーを有する上側表面、及び前記ライティングパネルの前記上面に貼り付けられた下側表面を有する、剛性の光学的に透明なガス不透過性平面スクリーン又はベースと、
上側及び下側表面を有する可撓性の光学的に透明なガス透過性シートであって、前記上側表面は、三次元物体を形成するためのビルド面を備え、前記シートの下側表面は、前記ベースと対向して位置し、前記ビルドプレートは、前記ビルド面へのガスの流れを許容するように構成される、シートと
を備えるビルドプレートアセンブリー。
請求項２：
前記ガス透過性シートと前記ベースとの間の接着剤層と、その中にチャネルを画定するチャネル層とをさらに備える請求項１に記載のビルドプレートアセンブリー。
請求項３：
前記チャネル層が、透過性ポリマー（例えばポリ（ジメチルシロキサン）（ＰＤＭＳ））等の透過性材料を含む請求項１又は２に記載のビルドプレートアセンブリー。
請求項４：
前記チャネル層が、前記接着剤に対向する底面上にチャネルを画定する請求項１から３のいずれか１項に記載のビルドプレートアセンブリー。
請求項５：
前記チャネル層が、化学結合（例えば、酸素プラズマ処理、ＵＶオゾン処理及び／又は湿潤化学処理を含む酸化処理）により前記ベースに接着されている請求項１から４のいずれか１項に記載のビルドプレートアセンブリー。
請求項６：
前記接着剤層が、ガス透過性接着剤を含む請求項１から５のいずれか１項に記載のビルドプレートアセンブリー。
請求項７：
前記接着剤層が、ポリ（ジメチルシロキサン）（ＰＤＭＳ）フィルム（例えばシリコーン転写フィルム接着剤）を含む請求項１から６のいずれか１項に記載のビルドプレートアセンブリー。
請求項８：
ベースが、上部及び底部を備え、前記上部は、前記表面トポロジーを提供するパターン化された剛性ポリマーを含み、前記上部は、前記底部に接着されている請求項１から７のいずれか１項に記載のビルドプレートアセンブリー。
請求項９：
前記上部が、第１の材料を含み、前記底部が、前記第１の材料とは異なる第２の材料を含む請求項８に記載のビルドプレートアセンブリー。
請求項１０：
前記第２の材料が、サファイア、ガラス及び／又は石英を含む請求項８又は９に記載のビルドプレートアセンブリー。
請求項１１：
前記チャネル層と前記ベースとの間に、前記ビルド面の弾性を増加させるように構成されたエラストマー層をさらに備える請求項１から１０のいずれか１項に記載のビルドプレートアセンブリー。
請求項１２：
前記透過性シート及び／又はチャネル層が、酸素を感知するための蛍光酸素感知粒子を含むＰＤＭＳ複合材を含む請求項１から１１のいずれか１項に記載のビルドプレートアセンブリー。
請求項１３：
前記透過性シート、エラストマー層及び／又はチャネル層が、前記ビルドプレートの一部を加熱するための電気伝導性粒子を含むＰＤＭＳ複合材を含む請求項１から１２のいずれか１項に記載のビルドプレートアセンブリー。
請求項１４：
前記ライティングパネルが、ＬＣＤパネルを含む請求項１から１３のいずれか１項に記載のビルドプレートアセンブリー。
請求項１５：
前記ライティングパネルが、ＯＬＥＤパネルを含む請求項１から１４のいずれか１項に記載のビルドプレートアセンブリー。
請求項１６：
前記ライティングパネルが、紫外線ＬＥＤ光源アレイを含む請求項１から１５のいずれか１項に記載のビルドプレートアセンブリー。
請求項１７：
前記ライティングパネルが、グレースケールライティングパネルである請求項１から１６のいずれか１項に記載のビルドプレートアセンブリー。
請求項１８：
前記ビルドプレート内に、前記ライティングパネルの前記個々にアドレス可能なピクセルに対応する光ガイドをさらに備える請求項１から１７のいずれか１項に記載のビルドプレートアセンブリー。
請求項１９：
前記表面トポロジーが、前記平面ベースと前記ガス透過性シートの一部との間に所定の隙間を維持するように構成されたランダム又はパターン化された特徴を含む請求項１から１８のいずれか１項に記載のビルドプレートアセンブリー。
請求項２０：
前記ガス透過性シートが、厚さを含み、前記隙間が、前記シートの前記厚さの５倍以内である請求項１から１９のいずれか１項に記載のビルドプレートアセンブリー。
請求項２１：
前記平面ベースと前記ガス透過性シートとの間の領域が、前記平面ベースと前記ガス透過性シートとの間の隙間領域を含み、ガスの流れを増加させると共に前記ガス透過性シート上の湿潤面積を低減するのに十分な隙間が維持される請求項２又は３に記載のビルドプレートアセンブリー。
請求項２２：
前記表面トポロジーが、不規則及び／又はランダムな特徴を有する粗面を含む請求項１から２１のいずれか１項に記載のビルドプレートアセンブリー。
請求項２３：
前記平面ベースが、酸素不透過性である請求項１から２２のいずれか１項に記載のビルドプレートアセンブリー。
請求項２４：
前記ガス透過性シートが、酸素透過性である請求項１から２３のいずれか１項に記載のビルドプレートアセンブリー。
請求項２５：
前記平面ベースの前記表面トポロジーが、機械的研磨、化学薬品、エッチング及び／又はレーザー切断により形成されたものである請求項１から２４のいずれか１項に記載のビルドプレートアセンブリー。
請求項２６：
前記表面トポロジーが、前記平面ベースの面積の約０．１％〜約２０％を占める陥凹部又は突出部を含む請求項１から２５のいずれか１項に記載のビルドプレートアセンブリー。
請求項２７：
前記表面トポロジーが、深さ０．１〜５μｍの高さ又は深度を有する陥凹部又は突出部を含む請求項１から２６のいずれか１項に記載のビルドプレートアセンブリー。
請求項２８：
前記表面トポロジーが、約１〜約１０μｍの直径を有する陥凹部又は突出部を含む請求項１から２７のいずれか１項に記載のビルドプレートアセンブリー。
請求項２９：
前記ビルド面へのガスの流れを増加させる前記表面トポロジーが、ベースの上側表面上にある、請求項１から２８のいずれか１項に記載のビルドプレートアセンブリー。
請求項３０：
前記ビルド面へのガスの流れを増加させる前記表面トポロジーが、シートの下側表面上にある、請求項１から２９のいずれか１項に記載のビルドプレートアセンブリー。
請求項３１：
前記シートの厚さが、約１５０μｍ未満である、請求項１から３０のいずれか１項に記載のビルドプレートアセンブリー。
請求項３２：
前記ベースが、サファイア、ガラス、石英又はポリマーを含む、請求項１から３１のいずれか１項に記載のビルドプレートアセンブリー。
請求項３３：
前記シートが、フルオロポリマー（例えばパーフルオロポリエーテルポリマー）を含む、請求項１から３２のいずれか１項に記載のビルドプレートアセンブリー。
請求項３４：
前記表面トポロジーが、２０％未満、１５％未満又は１０％未満の光散乱角を有する請求項１から３３のいずれか１項に記載のビルドプレートアセンブリー。
請求項３５：
三次元物体を形成する方法であって、
キャリアと、ビルド面を有する光学的に透明な部材とを用意する工程であって、前記キャリア及び前記ビルド面は、その間をビルド領域として画定する、工程と、
前記ビルド領域を重合性液体で充填する工程と、
前記光学的に透明な部材を介して前記ビルド領域に光を継続的又は断続的に照射する工程であって、これによって前記重合性液体から固体ポリマーを形成する工程と、
前記キャリアを前記ビルド面から離れる方向に継続的又は断続的に移動させて（例えば、前記照射工程と順次又は同時に）、前記固体ポリマーから前記三次元物体を形成する工程とを含み、
前記光学的に透明な部材は、請求項１から３４のいずれか１項に記載のビルドプレートを含む、方法。
請求項３６：
前記充填工程、照射工程及び／又は移動工程が、
（ｉ）前記ビルド面に接触している重合性液体のデッドゾーンの継続的な維持と、
（ｉｉ）前記デッドゾーンと前記固体ポリマーとの間に位置しかつこれらと相互に接触している、重合の傾斜ゾーンの継続的な維持と
を同時に行いながら実行され、前記重合の傾斜ゾーンは、前記重合性液体が部分的に硬化した形態のものを含む請求項３５に記載の方法。
請求項３７：
前記重合領域が接着した前記キャリアが、静止状態の前記ビルドプレート上の前記ビルド面から離れるように一定方向に移動される請求項３５に記載の方法。
請求項３８：
前記充填工程が、前記重合性液体による前記ビルド領域の再充填を確かにする又は速くするために、前記ビルド面を基準として前記キャリアを縦方向に往復運動させることをさらに含む請求項３５に記載の方法。
請求項３９：
前記縦方向に往復運動させる工程が、アップストローク及びダウンストロークを含み、前記アップストロークの距離は前記ダウンストロークの距離より長く、それにより前記移動工程の一部又は全部が同時に実行される請求項３８に記載の方法。
請求項４０：
前記縦方向に往復運動させる工程が、アップストロークを含み、前記アップストロークの速度は、前記アップストロークの間のある期間にわたり加速する請求項３５から３９のいずれか１項に記載の方法。
請求項４１：
前記アップストロークが、徐々に開始する請求項４０に記載の方法。
請求項４２：
前記縦方向に往復運動させる工程が、ダウンストロークを含み、前記ダウンストロークの速度は、前記ダウンストロークの間のある期間にわたり減速する請求項３５から４１のいずれか１項に記載の方法。
請求項４３：
前記ダウンストロークが、徐々に終了する請求項４２に記載の方法。
請求項４４：
前記縦方向に往復運動させる工程が、０．０１若しくは０．１秒〜最長１若しくは１０秒間の合計時間にわたり、及び／又は０．０２若しくは０．２ミリメートル〜１若しくは１０ミリメートルのアップストロークの移動距離にわたり実行される請求項１８から２６のいずれか１項に記載の方法。
請求項４５：
前記移動が、断続的に、毎分１、２、５又は１０回の個別移動から、毎分最大３００、６００又は１０００回の個別移動の比率で実行され、毎回の移動に一時停止が続き、一時停止中に照射工程が実行される請求項１８から２７のいずれか１項に記載の方法。
請求項４６：
前記個別の移動がそれぞれ、毎回の移動につき１０又は５０ミクロン〜１００又は２００ミクロンの平均移動距離にわたり実行される請求項２８に記載の方法。
請求項４７：
前記ビルド面が、側方（例えば、Ｘ及びＹ）次元において固定及び静止状態である請求項１８から２９のいずれか１項に記載の方法。
請求項４８：
前記ビルド面が、縦方向（又はＺ）次元において固定及び静止状態である請求項１８から３０のいずれか１項に記載の方法。
請求項４９：
前記光学的に透明な部材が、半透過性部材を含み、前記デッドゾーンの継続的な維持が、前記デッドゾーン及び前記重合の傾斜を維持するのに十分な量での前記光学的に透明な部材を介した重合阻害剤の供給によって行われる請求項１８から３１のいずれか１項に記載の方法。
請求項５０：
前記光学的に透明な部材が、半透過性フルオロポリマー、剛性ガス透過性ポリマー、多孔質ガラス、又はそれらの組み合わせを含む請求項１８から３２のいずれか１項に記載の方法。
請求項５１：
前記重合の傾斜ゾーン及び前記デッドゾーンが一体的に、１〜１０００ミクロンの厚さを有する請求項１８から３３のいずれか１項に記載の方法。
請求項５２：
前記重合の傾斜ゾーンが、少なくとも５、１０、２０、若しくは３０秒、又は少なくとも１若しくは２分間維持される請求項１８から３４のいずれか１項に記載の方法。
請求項５３：
前記三次元物体に開裂線を形成するのに十分な時間にわたり前記重合の傾斜ゾーンを遮断する工程をさらに含む請求項１８から３５のいずれか１項に記載の方法。
請求項５４：
前記重合性液体を加熱して、前記ビルド領域におけるその粘度を低減する工程をさらに含む請求項１８から３６のいずれか１項に記載の方法。
請求項５５：
前記半透過性部材が、０．１〜１００ミリメートルの厚さを有し、及び／又は
前記半透過性部材が、少なくとも７．５×１０−１７ｍ２ｓ−１Ｐａ−１（１０Ｂａｒｒｅｒｓ）の酸素に対する透過性を有し、及び／又は
前記半透過性部材が、半透過性フルオロポリマー、剛性ガス透過性ポリマー、多孔質ガラス、若しくはそれらの組み合わせで形成される請求項１８から３７のいずれか１項に記載の方法。
請求項５６：
前記重合性液体がフリーラジカル重合性液体を含み、前記阻害剤が酸素を含むか、又は
前記重合性液体が酸触媒液体又はカチオン重合性液体を含み、前記阻害剤が塩基を含む請求項１８から３８のいずれか１項に記載の方法。
請求項５７：
重合性液体から三次元物体を形成するための装置であって、
（ａ）支持部と、
（ｂ）前記支持部と動作可能に関連付けられたキャリアであって、その上に前記三次元物体が形成されるキャリアと、
（ｃ）ビルド面を有する光学的に透明な部材であって、前記ビルド面及び前記キャリアは、その間をビルド領域として画定する、光学的に透明な部材と、
（ｄ）前記ビルド面と動作可能に関連付けられ、固化又は重合のために前記ビルド領域内に液体ポリマーを供給するように構成された液体ポリマー供給部（例えばウェル）と、
（ｅ）前記光学的に透明な部材を介して前記ビルド領域を照射して、前記重合性液体から固体ポリマーを形成するように構成された放射線源と、
（ｆ）任意選択で、前記透明な部材又は前記キャリアのいずれかと動作可能に関連付けられた少なくとも１つの駆動部と、
（ｇ）前記キャリアを前記ビルド面から離れる方向に移動させて、前記固体ポリマーから前記三次元物体を形成するために、前記キャリア、及び／又は任意選択で前記少なくとも１つの駆動部、及び前記放射線源と動作可能に関連付けられた制御装置とを備え、
前記光学的に透明な部材は、請求項１から３４のいずれか１項に記載の光学的に透明なガス不透過性平面スクリーン又はベースを有するビルドプレートを備え、前記放射線源は、前記平面スクリーンを備える装置。
請求項５８：
前記制御装置が、前記重合性液体による前記ビルド領域の再充填を確かにする又は速くするために、前記ビルド面を基準として前記キャリアを振動させる又は往復運動させるようにさらに構成される請求項５７に記載の装置。
請求項５９：
前記制御装置は、前記充填、移動、及び／又は照射工程と同時に、前記固体ポリマーから前記三次元物体を形成すると共に、（ｉ）重合性液体のデッドゾーンの前記ビルド面との接触を継続的に維持し、（ｉｉ）前記デッドゾーンと前記固体ポリマーとの間の、またそのそれぞれと接触した重合の傾斜ゾーンを継続的に維持するようにさらに構成され、前記重合の傾斜ゾーンは、部分的に硬化した形態の前記重合性液体を含む請求項５７に記載の装置。
請求項６０：
前記ビルドプレートが、実質的に固定又は静止状態である請求項５７から５９のいずれか１項に記載の装置。
請求項６１：
前記半透過性部材が、上面部分、底面部分、及び端面部分を備え、
前記ビルド面が、前記上面部分上にあり、
前記供給面が、前記上面部分、前記底面部分、及び前記端面部分の少なくとも１つの上にある、請求項５７から６０のいずれか１項に記載の装置。
請求項６２：
前記光学的に透明な部材が、半透過性部材を含む請求項５７から６１のいずれか１項に記載の装置。
請求項６３：
前記半透過性部材が、０．１〜１００ミリメートルの厚さを有し、及び／又は
前記半透過性部材が、少なくとも７．５×１０−１７ｍ２ｓ−１Ｐａ−１（１０Ｂａｒｒｅｒｓ）の酸素に対する透過性を有し、及び／又は
前記半透過性部材が、半透過性フルオロポリマー、剛性ガス透過性ポリマー、多孔質ガラス、若しくはそれらの組み合わせで形成される請求項６２に記載の装置。